(57)【要約】      （修正有）【課題】支承の設置又は交換に際して上部構造物のジャッキ等による持上げを極力少なくし得、支承の設置又は交換における上部構造物での好ましくない歪の発現を極力避けることができる支承の固定構造を提供する。【解決手段】固定構造１は、積層ゴム装置４を基礎２と上部躯体３とに固定するための下取付板５を、下側アンカーボルト７の夫々における基礎２の上面８と面一の上面を有した下側雌螺子部１０に、下側雌螺子部１０に螺合した雄螺子部を有した下側固定ボルト１２及び円環状の座金１３を介して固定しており、上取付板６を、上部躯体３に埋め込まれて設置されている上側アンカーボルト１４の夫々における上部躯体３の下面１５と面一の下面を有した上側雌螺子部１７に、上側雌螺子部１７に螺合した雄螺子部を有した上側固定ボルト１９及び円環状の座金２０を介して固定している。【選択図】図１
2019039241.tif 000002
【特許請求の範囲】
【請求項１】
下部構造物と上部構造物との間に配されている支承における当該支承を下部構造物と上部構造物とに固定するための下取付板及び上取付板のうちの下取付板を、下部構造物に設置されている下側アンカーボルトの下側雌螺子部に、当該下側雌螺子部に螺合した雄螺子部を有した下側固定ボルトを介して固定した支承の下取付板での下部構造物に対する固定構造であって、下取付板は、下側固定ボルトの雄螺子部を受容した貫通孔を有しており、下側雌螺子部は、下側固定ボルトの雄螺子部を受容すると共に当該雄螺子部の雄螺子に螺合した雌螺子で規定された凹所を有しており、下側固定ボルトは、雄螺子部に一体的に設けられていると共に貫通孔の周りの下取付板の上面に押圧力を付与する環状面を有した鍔部を具備している支承の固定構造。
【請求項２】
下側雌螺子部は、貫通孔、下部構造物内又は下部構造物の上面において終端しており、下側雌螺子部の当該終端の面に凹所の開口面が位置している請求項１に記載の支承の固定構造。
【請求項３】
下側雌螺子部は、貫通孔の径よりも大きな外径を有している請求項１又は２に記載の支承の固定構造。
【請求項４】
凹所の底面は、凹所の開口面に対面した下側アンカーボルトの面で規定されており、凹所の底面を規定する下側アンカーボルトの面と下側固定ボルトの下端面とは、隙間をもって対面している請求項１から３のいずれか一項に記載の支承の固定構造。
【請求項５】
鍔部は、固定用の回転力を受容する面を具備している請求項１から４のいずれか一項に記載の支承の固定構造。
【請求項６】
下部構造物と上部構造物との間に配されている支承における当該支承を下部構造物と上部構造物とに固定するための下取付板及び上取付板のうちの上取付板を、上部構造物に設置されている上側アンカーボルトの上側雌螺子部に、当該上側雌螺子部に螺合した雄螺子部を有した上側固定ボルトを介して固定した支承の上取付板での上部構造物に対する固定構造であって、上取付板は、上側固定ボルトの雄螺子部を受容した貫通孔を有しており、上側雌螺子部は、上側固定ボルトの雄螺子部を受容すると共に当該雄螺子部の雄螺子に螺合した雌螺子で規定された凹所を有しており、上側固定ボルトは、雄螺子部に一体的に設けられていると共に貫通孔の周りの上取付板の下面に押圧力を付与する環状面を有した鍔部を具備している支承の固定構造。
【請求項７】
上側雌螺子部は、貫通孔、上部構造物内又は上部構造物の下面において終端しており、上側雌螺子部の当該終端の面に凹所の開口面が位置している請求項６に記載の支承の固定構造。
【請求項８】
上側雌螺子部は、貫通孔の径よりも大きな外径を有している請求項６又は７に記載の支承の固定構造。
【請求項９】
凹所の天井面は、凹所の開口面に対面した上側アンカーボルトの面で規定されており、凹所の天井面を規定する上側アンカーボルトの面と上側固定ボルトの上端面とは、隙間をもって対面している請求項６から８のいずれか一項に記載の支承の固定構造。
【請求項１０】
鍔部は、固定用の回転力を受容する面を具備している請求項６から９のいずれか一項に記載の支承の固定構造。
【発明の詳細な説明】
【技術分野】
【０００１】
本発明は、上部構造物及び下部構造物への支承の固定構造に関する。
【背景技術】
【０００２】
交互に積層された弾性層及び剛性層を有する積層体と、この積層体の上端面及び下端面に固定された上取付板及び下取付板とを具備して上部構造物を免震支持する免震支承は、一つの支承の例として知られている。
【０００３】
斯かる免震支承は、上部構造物と下部構造物との間に配されて、その上取付板を介して上部構造物に、その下取付板を介して下部構造物に夫々固定されており、地震に起因する下部構造物の水平方向の変位の上部構造物への伝達を積層体の弾性変形（剪断変形）で抑制するようになっている。
【先行技術文献】
【特許文献】
【０００４】
【特許文献１】特開２０００−６５１３６号公報
【特許文献２】特開２００３−２９４０８２号公報
【発明の概要】
【発明が解決しようとする課題】
【０００５】
ところで、この種の免震支承において、上部構造物及び下部構造物への夫々の固定は、免震支承の上取付板及び下取付板の貫通孔を上部構造物及び下部構造物の夫々に設置されたアンカーボルトの雄螺子部に位置せしめ、上取付板及び下取付板から突出する雄螺子部にナットを螺合せしめて、当該上取付板及び下取付板を当該ナットにより上部構造物及び下部構造物の夫々に締め付けて行われているが、斯かる固定構造では、免震支承の交換において、上部構造物及び下部構造物から突出する雄螺子部の長さ以上に上部構造物をジャッキ等により持上げないと、上部構造物及び下部構造物間からの免震支承の取り出し、新たな免震支承の配置が困難であって、上部構造物に好ましくない歪を与える虞が有る一方、上部構造物に好ましくない歪を与える場合には、雄螺子部を切断せざる得なくなる。
【０００６】
斯かる問題は、積層体を具備した免震支承に限らず、上部構造物と下部構造物との間に配される、例えば、上沓と下沓との間に滑り部材又は転がり部材を配した免震支承等の支承でも生じ得る。
【０００７】
本発明は、前記諸点に鑑みてなされたものであり、その目的とするところは、支承の設置又は交換に際して上部構造物のジャッキ等による持上げを極力少なくし得、支承の設置又は交換における上部構造物での好ましくない歪の発現を極力避けることができる支承の固定構造を提供することにある。
【課題を解決するための手段】
【０００８】
本発明は、下部構造物と上部構造物との間に配されている支承における当該支承を下部構造物と上部構造物とに固定するための下取付板及び上取付板のうちの下取付板を、下部構造物に設置されている下側アンカーボルトの下側雌螺子部に、当該下側雌螺子部に螺合した雄螺子部を有した下側固定ボルトを介して固定した支承の下取付板での下部構造物に対する固定構造であって、下取付板は、下側固定ボルトの雄螺子部を受容した貫通孔を有しており、下側雌螺子部は、下側固定ボルトの雄螺子部を受容すると共に当該雄螺子部の雄螺子に螺合した雌螺子で規定された凹所を有しており、下側固定ボルトは、雄螺子部に一体的に設けられていると共に貫通孔の周りの下取付板の上面に押圧力を付与する環状面を有した鍔部を具備している。
【０００９】
斯かる本発明によれば、下側雌螺子部が下側固定ボルトの雄螺子部を受容すると共に当該雄螺子部の雄螺子に螺合した雌螺子で規定された凹所を有しているために、下側雌螺子部を貫通孔、下部構造物内又は下部構造物の上面において終端させることができる結果、下側雌螺子部の下部構造物の上面からの上方への突出量を少なくでき、而して、支承の設置又は交換に際して下側雌螺子部を回避するための上部構造物のジャッキ等による持上げを極力少なくし得、支承の設置又は交換における上部構造物での好ましくない歪の発現を極力避けることができる一方、下側雌螺子部の切断等の大掛かりな作業を回避し得る。
【００１０】
本発明は、また、下部構造物と上部構造物との間に配されている支承における当該支承を下部構造物と上部構造物とに固定するための下取付板及び上取付板のうちの上取付板を、上部構造物に設置されている上側アンカーボルトの上側雌螺子部に、当該上側雌螺子部に螺合した雄螺子部を有した上側固定ボルトを介して固定した支承の上取付板での上部構造物に対する固定構造であって、上取付板は、上側固定ボルトの雄螺子部を受容した貫通孔を有しており、上側雌螺子部は、上側固定ボルトの雄螺子部を受容すると共に当該雄螺子部の雄螺子に螺合した雌螺子で規定された凹所を有しており、上側固定ボルトは、雄螺子部に一体的に設けられていると共に貫通孔の周りの上取付板の下面に押圧力を付与する環状面を有した鍔部を具備している。
【００１１】
斯かる本発明によっても、上側雌螺子部が、上側固定ボルトの雄螺子部を受容すると共に当該雄螺子部の雄螺子に螺合した雌螺子で規定された凹所を有しているために、上側雌螺子部を貫通孔、上部構造物内又は上部構造物の下面において終端させることができる結果、上側雌螺子部の上部構造物の下面からの下方への突出量を少なくでき、而して、支承の設置又は交換に際して上側雌螺子部を回避するための上部構造物のジャッキ等による持上げを極力少なくし得、支承の設置又は交換における上部構造物での好ましくない歪の発現を極力避けることができる一方、上側雌螺子部の切断等の大掛かりな作業を回避し得る。
【００１２】
本発明は、以上のように、上取付板での支承の固定構造であってもよく、これに代えて、下取付板での支承の固定構造であってもよいのであるが、支承の上取付板及び下取付板の両方に対して本発明の支承の固定構造が採用されていると、本発明による効果を二重に得られて好ましい。
【００１３】
本発明では、下側雌螺子部は、下取付板の貫通孔、下部構造物内又は下部構造物の上面において終端しており、下側雌螺子部の当該終端の面に当該下側雌螺子部の凹所の開口面が位置していても、同様に、上側雌螺子部は、上取付板の貫通孔、上部構造物内又は上部構造物の下面において終端しており、上側雌螺子部の当該終端の面に当該上側雌螺子部の凹所の開口面が位置していてもよい。
【００１４】
本発明の好ましい例では、下側雌螺子部は、下取付板の貫通孔の径よりも大きな外径を有しており、上側雌螺子部は、上取付板の貫通孔の径よりも大きな外径を有している。
【００１５】
下取付板での支承の固定構造に係る本発明の他の好ましい例では、下側雌螺子部の凹所の底面は、当該凹所の開口面に対面した下側アンカーボルトの面で規定されており、下側雌螺子部の凹所の底面を規定する下側アンカーボルトの面と下側固定ボルトの下端面とは、隙間をもって対面しており、上取付板での支承の固定構造に係る本発明の他の好ましい例では、上側雌螺子部の凹所の天井面は、当該凹所の開口面に対面した上側アンカーボルトの面で規定されており、上側雌螺子部の凹所の天井面を規定する上側アンカーボルトの面と上側固定ボルトの上端面とは、隙間をもって対面している。
【００１６】
いずれの本発明においても、鍔部は、固定用（締め付け用）の回転力を受容する面を具備しているとよい。
【００１７】
本発明において、下部構造物は、高速道路等の道路橋を含む橋の橋台若しくは橋脚又は一般の事業用の建物、集合住宅若しくは戸建住宅の基礎若しくは下部躯体等を含み、上部構造物は、高速道路等の道路橋を含む橋の橋桁又は一般の事業用の建物、集合住宅若しくは戸建住宅の上部躯体等を含む。
【００１８】
本発明において、支承としては、積層ゴムを用いた積層ゴム支承及び上沓と下沓との間に滑り部材又は転がり部材を配した滑り又は転がり支承を一例として提示し得るが、これらに限定されないで、その他の支承であってもよい。
【００１９】
本発明において、上取付板及び下取付板は、円形若しくは楕円形の外縁を有していても、これに代えて、矩形若しくは方形の外縁を有していてもよい。
【発明の効果】
【００２０】
本発明によれば、支承の設置又は交換に際して上部構造物のジャッキ等による持上げを極力少なくし得、支承の設置又は交換における上部構造物での好ましくない歪の発現を極力避けることができる支承の固定構造を提供することができる。
【図面の簡単な説明】
【００２１】
【図１】図１は、本発明の好ましい実施の形態の一具体例の一部破断説明図である。
【図２】図２は、図１の例における下取付板の平面説明図である。
【図３】図３は、図１の例における下取付板側の一部の拡大断面説明図である。
【図４】図４は、図３に示すＩＶ−ＩＶ線矢視断面説明図である。
【図５】図５は、図１の例における下側固定ボルトの斜視説明図である。
【図６】図６は、図１の例における上取付板の平面説明図である。
【図７】図７は、図１の例における上取付板側の一部の拡大断面説明図である。
【図８】図８は、図１の例における上側固定ボルトの斜視説明図である。
【発明を実施するための形態】
【００２２】
次に本発明の実施の形態を図に示す好ましい具体例に基づいて詳細に説明する。なお、本発明はこれらの例に何等限定されないのである。
【００２３】
図１から図８において、本例の固定構造１は、下部構造物としての例えばコンクリート製の基礎２の水平方向Ｈの変位の上部構造物としての例えば事業用の建物の上部躯体３への伝達を抑制するべく、基礎２と上部躯体３との間に配されている支承としての積層ゴム装置４における当該積層ゴム装置４を基礎２と上部躯体３とに固定するための下取付板５及び上取付板６のうちの下取付板５を、基礎２に埋め込まれて設置されている複数の下側アンカーボルト７の夫々における基礎２の上面８と面一の上面９を有した下側雌螺子部１０に、当該下側雌螺子部１０に螺合した雄螺子部１１を有した下側固定ボルト１２及び円環状の座金１３を介して固定しており、当該上取付板６及び下取付板５のうちの上取付板６を、上部躯体３に埋め込まれて設置されている複数の上側アンカーボルト１４の夫々における上部躯体３の下面１５と面一の下面１６を有した上側雌螺子部１７に、当該上側雌螺子部１７に螺合した雄螺子部１８を有した上側固定ボルト１９及び円環状の座金２０を介して固定している。
【００２４】
積層ゴム装置４は、円板状の下取付板５及び上取付板６に加えて、円形の下端面２１で下取付板５の円形の上面２２に加硫接着等により固着されている一方、円形の上端面２３で上取付板６の円形の下面２４に加硫接着等により固着されている積層体２５を具備している。
【００２５】
積層体２５は、複数の弾性層としての複数枚の円板状のゴム板３１と、各ゴム板３１が加硫接着された複数の剛性層としての複数枚の円板状の鋼板３２と、ゴム板３１及び鋼板３２の夫々の外周面３３及び３４を覆っていると共に当該外周面３３及び３４の夫々に加硫接着された円筒状のゴム被覆３５とを具備しており、複数枚のゴム板３１と複数枚の鋼板３２とは、下取付板５から上取付板６に向かって、換言すれば、鉛直方向Ｖに交互に積層されている。
【００２６】
上面２２に加えて円形の下面４１及び円筒状の側面４２を有した厚みｔ１の下取付板５は、複数の雄螺子部１１の夫々を受容していると共に円周方向Ｒに等間隔に配列された複数の円柱状の貫通孔４３と、複数の貫通孔４３の夫々を規定する円筒状の内周面４４とを有しており、その下面４１で基礎２の上面８に接触して、下側雌螺子部１０及び当該下側雌螺子部１０に螺合した下側固定ボルト１２及び円環状の座金１３を介して基礎２に固定されている。
【００２７】
下面２４に加えて円形の上面５１及び円筒状の側面５２を有した厚みｔ２の上取付板６は、複数の雄螺子部１８の夫々を受容していると共に円周方向Ｒに等間隔に配列された複数の円柱状の貫通孔５３と、複数の貫通孔５３の夫々を規定する円筒状の内周面５４とを有しており、その上面５１で上部躯体３の下面１５に接触して、上側雌螺子部１７及び当該上側雌螺子部１７に螺合した上側固定ボルト１９及び円環状の座金２０を介して上部躯体３に固定されている。
【００２８】
複数の下側アンカーボルト７の夫々は、雌螺子６１が形成された円筒状の内周面６２を有した円筒状の下側雌螺子部１０に加えて、下側雌螺子部１０に一体であって下側雌螺子部１０と共に基礎２に埋め込まれている円柱状の下側アンカーボルト基部６３を有しており、基礎２の上面８と面一の上面９を有して基礎２の上面８において鉛直方向Ｖに関して終端した下側雌螺子部１０は、下側固定ボルト１２の雄螺子部１１を受容すると共に当該雄螺子部１１の雄螺子６４に螺合した雌螺子６１が形成された円筒状の内周面６２で規定された凹所６５と、貫通孔４３の径Ｄ１よりも大きな径Ｄ２をもった円筒状の外周面６６とを有しており、而して、下側雌螺子部１０は、貫通孔４３の径Ｄ１よりも大きな外径Ｄ２を有しており、凹所６５の底面６７は、上面９と面一の凹所６５の開口面に鉛直方向Ｖにおいて対面した下側アンカーボルト７の下側アンカーボルト基部６３の面６８で規定されており、当該面６８と下側固定ボルト１２の先端面６９とは、隙間７０をもって対面しており、下側アンカーボルト基部６３は、外周面６６と面一及び同径の外周面７１をもって下側雌螺子部１０と一体となって鉛直方向Ｖに伸びている。
【００２９】
下側固定ボルト１２は、先端面６９と雄螺子６４が形成された円筒状の外周面７４とを有した雄螺子部１１に加えて、雄螺子部１１に一体的に設けられていると共に貫通孔４３の周りの下取付板５の上面２２に押圧力を座金１３を介して付与する六角形の環状面７５を有した鍔部７６を具備しており、鍔部７６は、固定用の円周方向Ｒの回転力を受容する面としての六個の矩形面からなる外周面７７と、六角形の端面７８とを具備している。
【００３０】
円環状の座金１３は、雄螺子部１１が貫通していると共に雄螺子部１１の外周面７４と円環状の隙間８１をもって対面された内周面８２で規定された貫通孔８３と、環状面７５に接触した円環状の上面８４と、下取付板５の上面２２に接触した円環状の下面８５と、円筒状の外周面８６とを有しており、貫通孔８３は、貫通孔４３の径よりも小さい径を有しており、外周面８６は、環状面７５の最大径よりも大きい径を有している。
【００３１】
複数の上側アンカーボルト１４の夫々は、下側アンカーボルト７と同様に、雌螺子９１が形成された円筒状の内周面９２を有した円筒状の上側雌螺子部１７に加えて、上側雌螺子部１７に一体であって上側雌螺子部１７と共に上部躯体３に埋め込まれている円柱状の上側アンカーボルト基部９３を有しており、上部躯体３の下面１５と面一の下面１６を有して上部躯体３の下面１５において鉛直方向Ｖに関して終端した上側雌螺子部１７は、上側固定ボルト１９の雄螺子部１８を受容すると共に当該雄螺子部１８の雄螺子９４に螺合した雌螺子９１が形成された円筒状の内周面９２で規定された凹所９５と、貫通孔５３の径Ｄ３（本例では、Ｄ３＝Ｄ１）よりも大きな径Ｄ４（本例では、Ｄ４＝Ｄ２）をもった円筒状の外周面９６とを有しており、而して、上側雌螺子部１７は、貫通孔５３の径Ｄ３よりも大きな外径Ｄ４を有しており、凹所９５の天井面９７は、下面１６と面一の凹所９５の開口面に鉛直方向Ｖにおいて対面した上側アンカーボルト１４の上側アンカーボルト基部９３の面９８で規定されており、当該面９８と上側固定ボルト１９の先端面９９とは、隙間１００をもって対面しており、上側アンカーボルト基部９３は、外周面９６と面一及び同径の外周面１０１をもって上側雌螺子部１７と一体となって鉛直方向Ｖに伸びている。
【００３２】
上側固定ボルト１９は、下側固定ボルト１２と同様に、先端面９９と雄螺子９４が形成された円筒状の外周面１０４とを有した雄螺子部１８に加えて、雄螺子部１８に一体的に設けられていると共に貫通孔５３の周りの上取付板６の下面２４に押圧力を座金２０を介して付与する六角形の環状面１０５を有した鍔部１０６を具備しており、鍔部１０６は、固定用の円周方向Ｒの回転力を受容する面としての六個の矩形面からなる外周面１０７と、六角形の端面１０８とを具備している。
【００３３】
円環状の座金２０は、雄螺子部１８が貫通していると共に雄螺子部１８の外周面１０４と円環状の隙間１１１をもって対面された内周面１１２で規定された貫通孔１１３と、環状面１０５に接触した円環状の下面１１４と、上取付板６の下面２４に接触した円環状の上面１１５と、円筒状の外周面１１６とを有しており、貫通孔１１３は、貫通孔５３の径よりも小さい径を有しており、外周面１１６は、環状面１０５の最大径よりも大きい径を有している。
【００３４】
以上の固定構造１により下取付板５で基礎２に、上取付板６で上部躯体３に夫々固定されて基礎２と上部躯体３との間に配されている積層ゴム装置４は、地震等で上部躯体３に対し水平方向Ｈに基礎２が変位（振動）すると、積層体２５が水平方向Ｈに関して剪断変形され、この剪断変形で上部躯体３への当該基礎２の変位（振動）の伝達を抑制するようになっている。
【００３５】
そして、積層ゴム装置４の下取付板５及び上取付板６での基礎２及び上部躯体３に対する固定構造１によれば、下側雌螺子部１０が下側固定ボルト１２の雄螺子部１１を受容すると共に当該雄螺子部１１の雄螺子６４に螺合した雌螺子６１で規定された凹所６５を有しているために、下側雌螺子部１０を下取付板５の上面２２よりも下方であって基礎２の上面８において終端させることができる結果、下側雌螺子部１０の基礎２の上面８からの上方への突出量を少なく（本例では、突出量＝０）でき、加えて、上側雌螺子部１７が上側固定ボルト１９の雄螺子部１８を受容すると共に当該雄螺子部１８の雄螺子９４に螺合した雌螺子９１で規定された凹所９５を有しているために、上側雌螺子部１７を上取付板６の下面２４よりも上方であって上部躯体３の下面１５において終端させることができる結果、上側雌螺子部１７の上部躯体３の下面１５からの下方への突出量を少なく（本例では、突出量＝０）でき、而して、積層ゴム装置４の交換に際して、鍔部７６の外周面７７に円周方向Ｒの回転力を付与して鍔部７６を介して雄螺子部１１を同じく円周方向Ｒに回転させ、雌螺子６１と雄螺子６４との螺合を解除して下側固定ボルト１２を除去する一方、鍔部１０６の外周面１０７に円周方向Ｒの回転力を付与して鍔部１０６を介して雄螺子部１８を同じく円周方向Ｒに回転させ、雌螺子９１と雄螺子９４との螺合を解除して上側固定ボルト１９を除去し、これらの除去後、既存の積層ゴム装置４を水平方向Ｈに移動させるだけで、基礎２と上部躯体３との間からの積層ゴム装置４の除去を行うことができ、而して、積層ゴム装置４の除去に際しての下側雌螺子部１０及び上側雌螺子部１７を回避するための基礎２に対する上部躯体３のジャッキ等による持上げを極力少なくし得、積層ゴム装置４の交換における上部躯体３での好ましくない歪の発現を極力避けることができる一方、下側雌螺子部１０及び上側雌螺子部１７の切断等の大掛かりな作業を回避し得、結局、上部躯体３のジャッキ等による（ｔ１＋ｔ２）よりも小さい量、本例では、基礎２の上面８と下取付板５の下面４１との間の大きな摩擦及び上部躯体３の下面１５と上取付板６の上面５１との間の大きな摩擦をなくし得る程度の持上げで既存の積層ゴム装置４の交換を行い得る。
【００３６】
上記の例の固定構造１では、下側雌螺子部１０は、基礎２の上面８において終端しているが、これに代えて、貫通孔４３又は基礎２内において終端していてもよく、下側雌螺子部１０が貫通孔４３において終端している場合、言い換えると、貫通孔４３の径が下側雌螺子部１０の径よりも大きく、下側雌螺子部１０が基礎２の上面８から部分的に上方に突出して、下側雌螺子部１０の上面９が貫通孔４３に位置している場合には、積層ゴム装置４の交換に際しては、下側雌螺子部１０の基礎２の上面８からの上方への部分的な突出量に応じた量の上部躯体３のジャッキ等による持上げが必要となり、下側雌螺子部１０が基礎２内において終端している場合、言い換えると、下側雌螺子部１０の上面９が基礎２の上面８から下に凹んだ位置にある場合には、下側雌螺子部１０は、基礎２の上面８において終端している場合、言い換えると、下側雌螺子部１０の上面９が基礎２の上面８と面一にある場合と同様に、積層ゴム装置４の交換に際しては、上部躯体３のジャッキ等による大きな持上げが不必要となり、同じく、上記の例の固定構造１では、上側雌螺子部１７は、上部躯体３の下面１５において終端しているが、これに代えて、貫通孔５３又は上部躯体３内において終端していてもよく、上側雌螺子部１７が貫通孔５３において終端している場合、言い換えると、貫通孔５３の径が上側雌螺子部１７の径よりも大きく、上側雌螺子部１７が上部躯体３の下面１５から部分的に下方に突出して、上側雌螺子部１７の下面１６が貫通孔５３に位置している場合には、積層ゴム装置４の交換に際しては、上側雌螺子部１７の上部躯体３の下面１５からの下方への部分的な突出量に応じた量の上部躯体３のジャッキ等による持上げが必要となり、上側雌螺子部１７が上部躯体３内において終端している場合、言い換えると、上側雌螺子部１７の下面１６が上部躯体３の下面１５から上に凹んだ位置にある場合には、上側雌螺子部１７は、上部躯体３の下面１５において終端している場合、言い換えると、上側雌螺子部１７の下面１６が上部躯体３の下面１５と面一にある場合と同様に、積層ゴム装置４の交換に際しては、上部躯体３のジャッキ等による大きな持上げが不必要となる。
【００３７】
下側固定ボルト１２及び上側固定ボルト１９を下側雌螺子部１０及び上側雌螺子部１７の夫々に螺合させるために又は下側固定ボルト１２及び上側固定ボルト１９と下側雌螺子部１０及び上側雌螺子部１７との夫々の螺合を解除させるために、下側固定ボルト１２及び上側固定ボルト１９の夫々における固定用及び解除用の回転力を受容する面は、六個の矩形面からなる外周面７７及び外周面１０７に代えて、端面７８及び１０８の夫々に形成された六角凹所を規定する内周面であってもよい。
【符号の説明】
【００３８】
１  固定構造
２  基礎
３  上部躯体
４  積層ゴム装置
５  下取付板
６  上取付板
７  下側アンカーボルト
８、９  上面
１０  下側雌螺子部
１１  雄螺子部
１２  下側固定ボルト
１３  座金
１４  上側アンカーボルト
１５、１６  下面
１７  上側雌螺子部
１８  雄螺子部
１９  上側固定ボルト
２０  座金
【図１】
2019039241.tif 000003
【図２】
2019039241.tif 000004
【図３】
2019039241.tif 000005
【図４】
2019039241.tif 000006
【図５】
2019039241.tif 000007
【図６】
2019039241.tif 000008
【図７】
2019039241.tif 000009
【図８】
2019039241.tif 000010